(57)【要約】【課題】瓦屋根に容易に取り付けでき、取り付けの自由度も高くできる太陽電池モジュール用架台及び太陽光発電装置を提供すること。【解決手段】架台２０が、複数の円筒孔２５を有する平板部２２と、平板部２２よりも上側に配置され、第１太陽電池モジュール１０ａのフレーム１５が載せられる架台フレーム２６と、を備えるようにする。また、架台２０が、野地板に取り付けられる下端部と、円筒孔２５を通過する軸部とを含む複数のアンカー３０と、各アンカー３０を平板部２２に固定する固定手段と、を備えるようにする。【選択図】図２
2018162578.tif 000002
【特許請求の範囲】
【請求項１】
太陽電池パネルと、その太陽電池パネルの端縁部に設置されたモジュールフレームとを有する太陽電池モジュールを、屋根に設置するのに用いられる太陽電池モジュール用架台であって、
複数の貫通孔を有する平板部と、
前記平板部よりも上側に配置され、前記モジュールフレームが載せられる架台フレームと、
野地板に取り付けられる下端部と、前記貫通孔を通過する軸部とを含む複数のアンカーと、
前記各アンカーを前記平板部に固定する固定手段と、
を備える、太陽電池モジュール用架台。
【請求項２】
請求項１に記載の太陽電池モジュール用架台において、
前記平板部が、平面視で前記複数の貫通孔を有する五角形の形状を有し、
前記平板部の縁部につながると共に、上側に延びる側壁部と、
前記側壁部において前記五角形の角部周辺に位置する箇所の上端部から前記平板部側に折り返されて前記平板部に略平行に広がる平板状のフレーム取付部と、を備え、
前記架台フレームは、前記フレーム取付部の上面に取り付けられる、太陽電池モジュール用架台。
【請求項３】
請求項１又は２に記載の太陽電池モジュール用架台において、
前記平板部の上面に取り付けられた補強部材を備える、太陽電池モジュール用架台。
【請求項４】
請求項１乃至３のいずれか１つに記載の太陽電池モジュール用架台において、
前記平板部が、アルミ又はアルミ合金からなる、太陽電池モジュール用架台。
【請求項５】
請求項１乃至４のいずれか１つに記載の太陽電池モジュール用架台において、
前記各貫通孔は、平面視において、円形状、又は楕円形状を有し、
前記複数の貫通孔は、マトリクス状に配置される複数の孔を含むか、又は千鳥配置される複数の孔を含む、太陽電池モジュール用架台。
【請求項６】
請求項１乃至５のいずれか１つに記載の太陽電池モジュール用架台において、
前記平板部が、平面視で前記複数の貫通孔を有する五角形の形状を有し、
平面視において前記平板部の縁が取り囲む五角形が線対称になる対称線が存在する、太陽電池モジュール用架台。
【請求項７】
請求項１乃至６に記載の太陽電池モジュール用架台と、
前記太陽電池モジュール用架台の前記架台フレームの延在方向の一方側に取り付けられ、平面視において上面が五角形の第１太陽電池モジュールと、
前記架台フレームの前記延在方向の他方側に取り付けられ、平面視において上面が略矩形の第２太陽電池モジュールと、
を備える、太陽光発電装置。
【請求項８】
請求項７に記載の太陽光発電装置において、
前記太陽電池モジュール用架台の前記平板部が、平面視において前記第１太陽電池モジュールの前記五角形に対応する五角形の形状を有し、
前記第１太陽電池モジュールの高さ方向から見たとき、前記太陽電池モジュール用架台における前記架台フレーム以外の全ての箇所が前記第１太陽電池モジュールに重なる、太陽光発電装置。
【発明の詳細な説明】
【技術分野】
【０００１】
本開示は、太陽電池モジュールを屋根に取り付ける際に用いる太陽電池モジュール用架台に関する。また、本開示は、太陽電池モジュール用架台と、太陽電池モジュールとを備えた太陽光発電装置に関する。
【背景技術】
【０００２】
従来、太陽電池モジュールの屋根への取付構造としては、特許文献１に記載されているものがある。この構造では、太陽電池モジュールは、太陽電池パネルと、その太陽電池パネルの端縁部に全周に亘って設置されたモジュールフレームとを含む。また、アンカーの台座部が、アンカーの軸部を上に向けた状態で野地板に取り付けられる。そして、アンカーの軸部が、軒棟方向に延びる架台フレームに取り付けられ、架台フレームがアンカーを介して屋根に取り付けられる。
【０００３】
架台フレームの軒棟方向の長さは、太陽電池モジュールの軒棟方向の長さより長くなるように設定される。その結果、モジュールフレームにおいて軒棟方向に延在する一対の軒棟方向延在部が、架台フレームに取り付けできるようになり、当該一対の軒棟方向延在部が、架台フレームに取り付けられる。このようにして、太陽電池モジュールが、架台フレームを介して野地板に取り付けられる。
【先行技術文献】
【特許文献】
【０００４】
【特許文献１】特開２０１４−１９４１３３号公報
【発明の概要】
【発明が解決しようとする課題】
【０００５】
アンカーの軸部を上側に突出させるために、屋根材に該軸部を通過させるための孔を設ける必要がある。しかし、屋根材が瓦で構成される場合、穴開け箇所が適切できないと、瓦の破壊や水の野地板側への浸入が生じる。よって、瓦における穴開け箇所が限られ、これに起因して、アンカーの桟方向の設置箇所、ひいては架台フレームの桟方向の設置箇所が限られる。
【０００６】
このような背景において、太陽電池モジュールが、屋根の軒棟方向及び桟方向の両方に対して斜めに交差する方向に延びる斜辺を含む場合、斜辺が存在する桟方向の範囲では、軒棟方向の長さが桟方向の位置によって変動する。
【０００７】
したがって、当該斜辺を含む太陽電池モジュールを瓦屋根に設置する場合、現場ごとに適切な架台フレームの長さが異なることになる。よって、例えば、用意した架台フレームの軒棟方向の長さが、太陽電池モジュールの軒棟方向の長さより短い場合、架台フレームの軒棟方向の長さを延長させる追加の架台フレームが必要になる。このように、太陽電池モジュールの取り付けが容易でなく、取り付けの自由度も小さくなる。
【０００８】
そこで、本開示の目的は、屋根の軒棟方向及び桟方向の両方に対して交差する方向に延びる斜辺を含む太陽電池モジュールでも、瓦屋根に容易に取り付けでき、取り付けの自由度も高くできる太陽電池モジュール用架台及び太陽光発電装置を提供することにある。
【課題を解決するための手段】
【０００９】
本開示の太陽電池モジュール用架台は、太陽電池パネルと、その太陽電池パネルの端縁部に設置されたモジュールフレームとを有する太陽電池モジュールを、屋根に設置するのに用いられる太陽電池モジュール用架台であって、複数の貫通孔を有する平板部と、平板部よりも上側に配置され、モジュールフレームが載せられる架台フレームと、野地板に取り付けられる下端部と、貫通孔を通過する軸部とを含む複数のアンカーと、各アンカーを平板部に固定する固定手段と、を備える。
【発明の効果】
【００１０】
本開示に係る太陽電池モジュール用架台によれば、屋根の軒棟方向及び桟方向の両方に対して斜めに交差する方向に延びる斜辺を含む太陽電池モジュールでも、瓦屋根に容易に取り付けでき、取り付けの自由度も高くなる。
【図面の簡単な説明】
【００１１】
【図１】本開示の一実施形態に係る太陽光発電装置が取り付けられた屋根の模式平面図である。
【図２】（ａ）は、第１太陽電池モジュールの斜視図であり、（ｂ）は、第１太陽電池モジュールを屋根に取り付ける際に使用する太陽電池モジュール用架台の斜視図である。
【図３】瓦屋根に取り付けられた太陽電池モジュール用架台において図１にＡ−Ａ線で示す断面を表す図である。
【図４】第１太陽電池モジュールと、それに軒側に隣り合う第２太陽電池モジュールの架台フレームを用いた接合構造を示す断面図である。
【図５】図４のＣ−Ｃ線断面図であり、架台フレームの断面図である。
【図６】上記接合構造に含まれる第１金具の斜視図である。
【図７】上記接合構造に含まれる第２金具の斜視図である。
【図８】上記接合構造に含まれる第３金具の斜視図である。
【図９】変形例の太陽電池モジュール用架台を表す平面図である。
【発明を実施するための形態】
【００１２】
以下に、本開示に係る実施の形態について添付図面を参照しながら詳細に説明する。以下において複数の実施形態や変形例などが含まれる場合、それらの特徴部分を適宜に組み合わせて新たな実施形態を構築することは当初から想定されている。なお、以下の図面及び説明において、Ｘ方向は、屋根の軒棟方向であり、Ｙ方向は、屋根の桟方向であり、Ｚ方向は、太陽電池モジュールの高さ方向である。Ｘ方向、Ｙ方向、及びＺ方向は、互いに直交する。
【００１３】
図１は、本開示の一実施形態に係る太陽光発電装置１が取り付けられた屋根５の模式平面図である。図１に示すように、太陽光発電装置１は、複数の太陽電池モジュール１０を備え、複数の太陽電池モジュール１０は、例えば、屋根５の北側部分２を除いた箇所に設置される。太陽光発電装置１は、平面視で五角形の複数の第１太陽電池モジュール１０ａと、平面視で矩形の複数の第２太陽電池モジュール１０ｂを含む。
【００１４】
第１太陽電池モジュール１０ａは、屋根５のＸ方向及びＹ方向の両方に対して斜めに交差する方向に延びる斜辺１１を含む。斜辺１１は、屋根５においてＸ方向及びＹ方向の両方に対して斜めに交差して延びる出隅１２に沿うように配置される。他方、第２太陽電池モジュール１０ｂは、一対の縁がＸ方向に平行に延在し、他方の縁がＹ方向に平行に延在するように、屋根５に配置される。第１太陽電池モジュール１０ａを、その斜辺１１が出隅１２に沿うように配置することで、屋根５に搭載する太陽電池モジュール１０の数を増やすことができ、屋根スペースを効率良く利用でき、発電量を増大させることができる。
【００１５】
図２（ａ）は、第１太陽電池モジュール１０ａの斜視図であり、図２（ｂ）は、第１太陽電池モジュール１０ａを屋根５（図１参照）に取り付ける際に使用する太陽電池モジュール用架台２０の斜視図である。図２（ａ）に示すように、第１太陽電池モジュール１０ａは、太陽電池パネル（以下、単にパネルという）１４と、モジュールフレーム（以下、単にフレームという）１５とを含み、フレーム１５は、パネル１４の端縁部に設置される。
【００１６】
図２（ｂ）に示すように、太陽電池モジュール用架台（以下、単に架台という）２０は、平面視において第１太陽電池モジュール１０ａに対応する五角形の形状を有する架台本体２１を備える。架台本体２１は、アルミ又はアルミ合金で構成され、平面視で五角形の平板部２２、側壁部２３、及び複数の平板状のフレーム取付部２４を含む。平板部２２は、複数の貫通孔の一例としての複数の円筒孔２５を有する。図２（ｂ）に示す例では、複数の円筒孔２５は、平板部２２に局所的に偏って配置されず、平板部２２全体に略均等に配置される。また、図２（ｂ）に示す例では、複数の円筒孔２５は、等間隔に配置され、複数の円筒孔２５には、マトリクス状に配置された４以上の円筒孔２５が含まれる。平板部に、同一直線上に位置しない３以上の貫通孔を設けると、後で図３を用いて説明する平板部の野地板への取り付けで、平板部を野地板に少なくとも３点で平面的に安定かつ確実に固定できて好ましい。
【００１７】
側壁部２３は、平板部２２の縁部から高さ方向（平板部２２の法線方向）に延在する。図２に示す実施例では、側壁部２３は、平板部２２を全周に亘って取り囲むように設けられるが、側壁部は、平板部の縁部の一部のみから高さ方向上側に延在してもよい。また、各フレーム取付部２４は、側壁部２３において五角形の角部周辺に位置する箇所の上端部から平板部２２側に折り返され、平板部２２に略平行に延在する。高さ方向から見たとき、フレーム取付部２４は、平板部２２の一部に重なる。
【００１８】
架台２０は、更に、複数の架台フレーム２６、及び補強部材の一例としての鋼製のＬ字アングル２７を備える。複数の架台フレーム２６は、複数のフレーム取付部２４に一対一に対応し、各架台フレーム２６は、フレーム取付部２４の上面に、取付手段、例えば、ボルト２８及びナット２９で取り付けられる。また、Ｌ字アングル２７は、その一方の平板部が平板部２２の上面に取付手段、例えば、締結部材、接着剤又は溶接等で取り付けられる。Ｌ字アングル２７は、架台本体２１の剛性を高め、架台本体２１を補強するために設けられる。架台２０は、更にアンカー３０を備え、アンカー３０を用いて家屋の野地板９０（図３参照）に取り付けられる。第１太陽電池モジュール１０ａのフレーム１５を架台フレーム２６に固定することで、第１太陽電池モジュール１０ａを、架台２０に取り付ける。アンカー３０を用いた架台２０の野地板９０への取り付けについては、図３を用いて説明し、第１太陽電池モジュール１０ａの架台フレーム２６への取り付けについては、図４〜図８を用いて説明する。
【００１９】
図３は、屋根５に取り付けられた架台２０において図２にＡ−Ａ線で示す断面を表す図である。図３に示すように、屋根５は、瓦屋根であり、複数の瓦９１を含む。また、アンカー３０は、野地板９０に固定される下端部としての台座部３１と、軸部３２を有する。軸部３２は、台座部３１からそれに直交する方向に延在し、瓦９１を貫通して瓦９１の表側に突き出る。瓦９１の貫通孔９２から突き出した軸部３２には、キャップ９３の上側端部が取り付けられ、キャップ９３の下側端部は、瓦９１の表面に接触する。更には、貫通孔９２と軸部３２との隙間にはシーリング材６７が充填される。このようにして、防水性を向上させている。また、軸部３２には、弾性部材９４が貫通孔９２の周囲に位置するように瓦９１の裏面に取り付けられ、弾性部材９４には、それを支持する支持部材９５が取り付けられる。弾性部材９４は、瓦９１に押されて弾性変形する部材であり、弾性部材９４には、例えばゴム、樹脂発泡体などが使用される。
【００２０】
台座部３１は、平板形状を有し、野地板９０に対してネジ８４を用いて固定される。台座部３１は、例えば平面視で略正方形状を呈し、台座部３１の端縁部にネジ８４が挿通される複数の貫通孔８３が設けられる。ネジ８４には、例えば木ネジが使用される。軸部３２は、台座部３１の上面の中央部において、上面に対して略垂直に立設する。軸部３２には、雄ねじが設けられる。台座部３１は、軸部３２と一体に形成されることができる。又は、台座部３１が、ねじ止め等の固定手段によって軸部３２に固定される構成でもよい。
【００２１】
軸部３２の貫通孔９２から突き出た部分は、平板部２２の円筒孔２５に下側から挿通され、当該突き出た部分は、第１ナット８１、第２ナット８２、第１ワッシャ８６及び第２ワッシャ８７で平板部２２に取り付けられる。詳しくは、第１ナット８１及び第１ワッシャ８６を軸部３２に取り付け、第１ワッシャ８６の上に平板部２２を載せた後、第２ワッシャ８７及び第２ナット８２を軸部３２に取り付ける。このようにして、平板部２２を軸部３２に固定する。平板部２２は、少なくとも３つのアンカー３０で野地板９０に取り付ける。第１ナット８１、第２ナット８２、第１ワッシャ８６及び第２ワッシャ８７は、各アンカー３０を平板部２２に固定する固定手段の一例である。各アンカー３０は、瓦屋根で孔開けが可能な箇所に対応する円筒孔２５を用いて野地板９０に取り付けられる。３本以上のアンカー３０を用いることにより、平板部２２を野地板９０に３点で平面的に安定かつ確実に固定できる。
【００２２】
次に、第１太陽電池モジュール１０ａの架台２０への取り付けについて説明する。図４は、瓦屋根に設置された太陽光発電装置１において図２にＢ−Ｂ線で示す断面の一部を表す図であり、第１太陽電池モジュール１０ａと、それに軒側に隣り合う第２太陽電池モジュール１０ｂの架台フレーム２６を用いた接合構造を示す断面図である。また、図５は、図４のＣ−Ｃ線断面図であり、架台フレーム２６の断面図である。また、図６は、接合構造に含まれる第１金具５０の斜視図であり、図７は、接合構造に含まれる第２金具６０の斜視図であり、図８は、接合構造に含まれる第３金具７０の斜視図である。なお、以下では、第１太陽電池モジュール１０ａのパネルを、参照番号１４ａで示し、第２太陽電池モジュール１０ｂのパネルを、参照番号１４ｂで示す。
【００２３】
図４に示すように、上述のように、架台フレーム２６は、架台２０のフレーム取付部２４に固定される。また、架台フレーム２６上には、第１太陽電池モジュール１０ａのＸ方向軒側に位置してＹ方向に延在するフレーム部１５ａと、第２太陽電池モジュール１０ｂのＸ方向棟側に位置してＹ方向に延在するフレーム部１５ｂが載せられる。図４の紙面において、フレーム部１５ａとフレーム部１５ｂは、線対称に配置され、同様な構造を有する。以下では、フレーム部１５ａの構造のみについて説明し、フレーム部１５ｂの構造の説明は省略する。
【００２４】
フレーム部１５ａは、Ｚ方向中央部に中空で角柱状の本体部４０ａを有する。フレーム部１５ａは、本体部４０ａの上面に立設した第１鉤部４１ａを有する。第１鉤部４１ａは、断面略Ｌ字状の形状を有し、本体部４０ａの外側から上方に真っ直ぐＺ方向に延びる部分と、その部分の上側先端部からＸ方向棟側に延びる部分とを有する。本体部４０ａの上面と第１鉤部４１ａとの間には、内溝４２ａが設けられる。内溝４２ａは、Ｘ方向棟側が開口する。また、フレーム部１５ａは、本体部４０ａの下面に立設した第２鉤部４３ａを有する。第２鉤部４３ａは、断面略Ｌ字状の形状を有し、本体部４０ａの内側からＺ方向下方に真っ直ぐ延びる部分と、その部分の下側端部からＸ方向軒側に延びる部分とを有する。本体部４０ａの下面と第２鉤部４３ａとの間には、外溝４４ａが設けられる。外溝４４ａは、Ｘ方向軒側が開口する。更には、フレーム部１５ａは、Ｚ方向の下側端部にＸ方向棟側に突出する内鍔部４５ａを有する。
【００２５】
図５に示すように、架台フレーム２６は、その幅方向の両側にガイドレール部３４を有する。ガイドレール部３４は、Ｘ方向に延在する溝構造を有し、その溝構造は、Ｙ方向に一致する幅方向の内側が開口する。ガイドレール部３４は、架台フレーム２６の底部でＹ方向両側に配設される平板状の基部３３と、基部３３のＹ方向の端部から立設する断面略Ｌ字状の鉤部３５で構成される。鉤部３５のＺ方向上側は、架台フレームのＹ方向中央側に屈曲し、Ｙ方向に延びる。
【００２６】
再度、図４を参照して、第１金具５０は、架台フレーム２６のガイドレール部３４にスライド可能に係合する。詳しくは、図６に示すように、第１金具５０は、基部５１と、基部５１の軒側端部に立設した鉤部５２と、基部５１の棟側端部に立設した立設部５３とを有する。基部５１には、貫通孔５４が設けられる。基部５１のＹ方向長さは、鉤部５２及び立設部５３のＹ方向長さより長く、基部５１は、鉤部５２及び立設部５３のＹ方向両端に対応する位置からＹ方向両側に張り出した張出部５１ａを有する。図４を参照して、張出部５１ａは、ガイドレール部３４に摺動可能に嵌合する。例えば、基部５１の貫通孔５４に上側からボルト８８を挿通し、ボルト８８を、ナット８９を用いて架台フレーム２６及びフレーム取付部２４に固定することで、第１金具５０を架台フレーム２６に取り付ける。
【００２７】
第１金具５０の鉤部５２は、Ｘ方向に延在する部分５２ａがフレーム部１５ａの外溝４４ａに軒側から押し込まれ、フレーム部１５ａに固定される。また、フレーム部１５ａの内溝４２ａにはパネル１４ａの縁部が押し込まれ、フレーム部１５ａにパネル１４ａが固定される。その結果、第１太陽電池モジュール１０ａが、第１金具５０によって架台フレーム２６に固定される。
【００２８】
第２金具６０及び第３金具７０も、第１金具５０と同様に、ガイドレール部３４にスライド可能に係合する。詳しくは、図７に示すように、第２金具６０は、ガイドレール部３４にスライド可能に係合する基部６１と、基部６１の軒側端部に立設した鉤部６２とを有する。また、鉤部６２は、Ｚ方向に延在するＺ方向延在部６２ａと、Ｚ方向延在部６２ａの上端部からＸ方向の軒側に突出する突出部６２ｂとを含む。基部６１のＹ方向長さは、鉤部６２のＹ方向長さより長い。基部６１は、鉤部６２のＹ方向両端に対応する位置からＹ方向両側に張り出し、その張出部６１ａがガイドレール部３４に摺動可能に嵌合する。基部６１には、上方に突出した突起６３が設けられ、鉤部６２には、下方に突出する突起６４が設けられる。また、第２金具６０の基部６１の軒側端部には、略半円板形状の凹部６５が設けられる。これらの突起６３,６４及び凹部６５の役割についは、以下で説明する。
【００２９】
図８に示すように、第３金具７０は、ガイドレール部３４にスライド可能に係合する基部７１と、基部７１の棟側端部に立設した立設部７２と、立設部７２の上部から棟側に延出した鍔部７３とを有する。鍔部７３は、例えば立設部７２の一部を棟側に折り曲げて形成される。基部７１のＹ方向長さは、立設部７２のＹ方向長さより長い。基部７１は、立設部７２のＹ両端に対応する位置からＹ方向両側に張り出し、その張出部７１ａがガイドレール部３４に摺動可能に嵌合する。基部７１には、略半円形状の凸部７４が設けられる。凸部７４が、凹部６５（図７参照）に嵌ることで、第２金具６０と第３金具７０が係合される。基部７１には貫通孔７６が設けられる。
【００３０】
図４に示すように、第３金具７０の張出部７１ａがガイドレール部３４に嵌合している状態でボルト９８が上側から貫通孔７６に挿入され、ボルト９８の軸部がナット９９で架台フレーム２６に固定される。第３金具７０がボルト９８及びナット９９で架台フレーム２６に固定された状態で、第３金具７０の立設部７２は、フレーム部１５ｂの内鍔部４５ｂの先端の軒側に配設される。第３金具７０の立設部７２は、第２太陽電池モジュール１０ｂの軒側への移動を防止する。更には、Ｚ方向から見たとき、第３金具７０の鍔部７３は、内鍔部４５ｂに重なる部分を有する。その結果、Ｚ方向上側へのフレーム部１５ｂの浮き上がりが第３金具７０の鍔部７３によって防止される。
【００３１】
更には、図４に示すように、第２金具６０は、鉤部６２の突出部６２ｂがフレーム部１５ｂの外溝４４ｂに棟側から嵌め込まれ、凹部６５が棟側から第３金具７０の凸部７４に係合される。この際、鉤部６２の突起６４が外溝４４ｂの底板に接触し、第２金具６０が静止摩擦力でフレーム部１５ｂに対して相対移動不可になる。また、基部６１の突起６３が、溝構造のガイドレール部３４の上部に接触し、第２金具６０が静止摩擦力で架台フレーム２６に対して相対移動不可になる。その結果、フレーム部１５ｂが、第２金具６０を介して架台フレーム２６に固定され、第２太陽電池モジュール１０ｂが架台２０に取り付けられる。
【００３２】
再度、図２（ｂ）を参照して、紙面において右側かつ上側に配置される架台フレーム２６ａに、第２金具６０と第３金具７０とを用いて、第１太陽電池モジュール１０ａの上側かつＹ方向に延在するフレーム部１５ｃ（図２（ａ）参照）を固定する。また、紙面において右側かつ下側に配置される架台フレーム２６ｂに、第１金具５０、第２金具６０及び第３金具７０を用いて、第１太陽電池モジュール１０ａのフレーム部１５ａと第２太陽電池モジュール１０ｂのフレーム部１５ｂを固定する。また、紙面において左側かつ下側に配置される架台フレーム２６ｃに、第１金具５０、第２金具６０及び第３金具７０を用いて、第１太陽電池モジュール１０ａのフレーム部１５ａと第２太陽電池モジュール１０ｂのフレーム部１５ｂを固定する。
【００３３】
このようにして、第１太陽電池モジュール１０ａを、架台２０に安定かつ確実に固定する。また、第２太陽電池モジュール１０ｂのフレーム部１５ｂの２箇所を、架台２０に固定し、第１太陽電池モジュール１０ａを、架台フレーム２６ｂ,２６ｃを用いてその軒側の第２太陽電池モジュール１０ｂに接合する。
【００３４】
図２（ａ）,図２（ｂ）に示すように、架台２０の平板部２２は、平面視において第１太陽電池モジュール１０ａの五角形に対応する五角形の形状を有する。また、平面視において、五角形の平板部２２の大きさは、五角形の第１太陽電池モジュール１０ａの大きさよりも僅かに小さい。その結果、第１太陽電池モジュール１０ａが、架台２０に固定された状態で、第１太陽電池モジュール１０ａの高さ方向から見たとき、架台２０における架台フレーム２６以外の全ての箇所が、第１太陽電池モジュール１０ａに重なる。
【００３５】
以上、上記実施形態の架台２０は、パネル１４ａと、そのパネル１４ａの端縁部に設置されたフレーム１５とを有する第１太陽電池モジュール１０ａを、屋根５に設置するのに用いられる。また、架台２０は、複数の円筒孔（貫通孔）２５を有する平板部２２と、平板部２２よりも上側に配置され、フレーム１５が載せられる架台フレーム２６と、を備える。また、架台２０は、野地板９０に取り付けられる下端部（台座部３１）と、円筒孔２５を通過する軸部３２とを含む複数のアンカー３０を備える。また、架台２０は、各アンカー３０を平板部２２に固定する第１及び第２ナット８１,８２及び第１及び第２ワッシャ８６,８７を備える。
【００３６】
上記実施形態によれば、架台２０が、複数の円筒孔２５を有する平板部２２を有して、アンカー３０が、平板部２２に取り付けられる。したがって、屋根５が瓦屋根で、円筒孔２５を開けることが可能な個所が現場毎に異なっても、平板部２２に開ける円筒孔２５の箇所を現場毎に調整するだけで、架台２０を同じ姿勢で瓦屋根に容易に取り付けできる。更には、アンカー３０を、平板部２２のいずれの箇所にも取り付けできるので、より取付強度が大きくなるアンカー３０の取り付けを実現でき、取り付けの自由度も大きくできる。
【００３７】
また、平板部２２が、平面視で複数の円筒孔２５を有する五角形の形状を有してもよい。また、架台２０は、平板部２２の縁部につながると共に、上側に延びる側壁部２３と、側壁部２３において五角形の角部周辺に位置する箇所の上端部から平板部２２側に折り返されて平板部２２に略平行に広がる平板状のフレーム取付部２４と、を備えてもよい。また、架台フレーム２６は、フレーム取付部２４の上面に取り付けられてもよい。
【００３８】
上記構成によれば、架台２０が側壁部２３を有するので、平板部２２の縁部に屈曲部を構成でき、架台２０の剛性を大きくできる。
【００３９】
また、平板部２２の上面にＬ字アングル（補強部材）２７を取り付けてもよい。
【００４０】
上記構成によれば、架台２０の剛性を大きくでき、太陽光発電装置１の信頼性を高くできる。
【００４１】
また、平板部２２が、アルミ又はアルミ合金からなってもよい。
【００４２】
上記構成によれば、平板部２２に円筒孔２５を開け易くなる。したがって、例えば現場でドリル等を用いて平板部２２に円筒孔２５を簡単に設けることができる。よって、取り付けに使用しない円筒孔２５が平板部２２に設けられることがなく、不必要な円筒孔２５の形成によって平板部２２の剛性が低下することを防止できる。又は、事前に平板部に設けられた複数の貫通孔が穴開け箇所に対応しなかった場合でも、追加の貫通孔を平板部に簡単に設けることができる。
【００４３】
また、上記実施形態の太陽光発電装置１は、上記実施形態の架台２０と、架台２０の架台フレーム２６ｂ,２６ｃの延在方向の一方側に取り付けられ、平面視において上面が五角形の第１太陽電池モジュール１０ａと、を備えてもよい。また、太陽光発電装置１は、架台フレーム２６ｂ,２６ｃの延在方向の他方側に取り付けられ、平面視において上面が略矩形の第２太陽電池モジュール１０ｂを備えてもよい。
【００４４】
上記構成によれば、架台フレーム２６ｂ,２６ｃを用いた第１太陽電池モジュール１０ａと第２太陽電池モジュール１０ｂの接合により、太陽光発電装置の剛性及び強度を増大させることができる。更には、架台フレーム２６ｂ,２６ｃを介して、第１太陽電池モジュール１０ａの外面と、第２太陽電池モジュール１０ｂの外面を電気的に接続できる。よって、第１太陽電池モジュール１０ａのアース（接地）を架台フレーム２６ｂ,２６ｃを用いて容易に実現できる。なお、フレーム取付部２４と各架台フレーム２６との間にスペーサーを入れることで、第１及び第２太陽電池モジュール１０ａ,１０ｂの取り付け高さ位置を容易に調整できる。よって、第１太陽電池モジュール１０ａと第２太陽電池モジュール１０ｂとを問題なく接合できる。
【００４５】
また、架台２０の平板部２２が、平面視において第１太陽電池モジュール１０ａの五角形に対応する五角形の形状を有してもよい。また、第１太陽電池モジュール１０ａの高さ方向から見たとき、架台２０における架台フレーム２６以外の全ての箇所が第１太陽電池モジュール１０ａに重なってもよい。
【００４６】
上記構成によれば、上記高さ方向から見たとき、架台２０における架台フレーム２６以外の全ての箇所が第１太陽電池モジュール１０ａに重なる。したがって、複数の第１及び第２太陽電池モジュール１０ａ,１０ｂの屋根５への配設で架台２０が全く支障になることがない。よって、第１及び第２太陽電池モジュール１０ａ,１０ｂを屋根５により隙間がない状態で配設でき、屋根スペースを効率良く利用できる。
【００４７】
また、平板部２２が、平面視において第１太陽電池モジュール１０ａの五角形に対応する五角形の形状を有する。したがって、屋根スペースを効率良く利用できるようにしても、架台２０をより大きく構成できる。よって、架台２０の剛性が大きくなるので、架台２０で第１太陽電池モジュール１０ａを安定かつ確実に支持できる。その結果、太陽光発電装置１の信頼性が高くなる。
【００４８】
尚、本開示は、上記実施形態およびその変形例に限定されるものではなく、本願の特許請求の範囲に記載された事項およびその均等な範囲において種々の改良や変更が可能である。
【００４９】
例えば、次に、図９（ａ）の平面図に示す架台１２０のように汎用性を大きくしてもよい。詳しくは、図９（ａ）に示すように、平板部１２２が、平面視で複数の貫通孔１２５を有する五角形の形状を有するようにしてもよい。そして、平面視において平板部１２２の縁が取り囲む五角形が線対称になる対称線Ｐが存在するようにしてもよい。
【００５０】
このように平板部１２２を対称線Ｐに対して線対称に構成すれば、架台１２０を、屋根左側にも屋根右側にも取り付けできる。よって、図９（ｂ）に示す屋根左側への取付専用のＬ型架台２２０や、図９（ｃ）に示す屋根右側への取付専用のＲ型架台３２０よりも、架台１２０の汎用性を大きくできる。
【００５１】
また、一例として、平板部２２に設けた複数の円筒孔２５に、マトリクス状に配置された４以上の円筒孔２５が含まれる場合について説明した。しかし、平板部に設ける複数の貫通孔に、千鳥配置された複数の貫通孔が含まれてもよい。ここで、千鳥配置とは、次のような配置である。すなわち、互いに直交する一方向及び他方向の夫々で複数の貫通孔が等間隔に配置される配置である。また、一方向に延びる同一直線上に配置される複数の貫通孔からなる貫通孔群について、他方向に隣り合う全ての貫通孔群の組で、一方向の配置位置に関して、一方の貫通孔群に属する貫通孔が、他方の貫通孔群の貫通孔ピッチの半分の位置に配置される配置である。例えば、図９（ａ）に示す場合であれば、斜辺部の延在方向が一方向になり、対称線Ｐの延在方向が他方向になる。
【００５２】
又は、複数の貫通孔を、平板部に不規則に設けてもよい。また、平板部２２に平面視において円形の円筒孔２５を設ける場合について説明したが、平板部に平面視において楕円の貫通孔を設けてもよい。又は、平板部に平面視において楕円の貫通孔と円形の貫通孔とを設けてもよい。平板部には、複数の貫通孔（好ましくは、３以上の貫通孔）を設ければよく、平板部に設けられる各貫通孔の平面視における形状は、如何なる形状でもよい。
【００５３】
すなわち、平板部に設けられる各貫通孔は、平面視において、円形状、又は楕円形状を有してもよい。そして、複数の貫通孔は、マトリクス状に配置される複数の孔を含むか、又は千鳥配置される複数の孔を含んでもよい。この構成によれば、平板部に満遍なく多数の貫通孔を効率的に設けることができる。
【００５４】
また、平板部２２がアルミ又はアルミ合金で構成される場合について説明したが、平板部２２は、アルミ及びアルミ合金以外の金属、例えば、アルミ合金以外の合金や鋼材等で構成されてもよい。また、Ｌ字アングル２７を平板部２２の上面に取り付ける場合について説明したが、角柱状の棒材等からなるＬ字アングル以外の補強部材を、固定手段、例えば、締結部材、溶接、又は接着剤等で平板部の上面に取り付けてもよい。又は、架台が平板部に取り付けられた補強部材を有さなくてもよい。
【００５５】
また、平板部２２の縁部に側壁部２３を設ける場合について説明したが、平板部の縁部に側壁部を設けず、平板部に直接、架台フレームを取り付けてもよい。また、アンカー３０を、２つの第１及び第２ナット８１,８２と２つの第１及び第２ワッシャ８６,８７を用いて平板部２２に取り付ける場合について説明したが、アンカーを、ナットだけで平板部に取り付けてもよい。また、第１〜第３金具５０,６０,７０を用いて、架台フレーム２６に第１及び第２太陽電池モジュール１０ａ,１０ｂを固定する場合について説明したが、それ以外の金具や溶接等で架台フレームに第１及び第２太陽電池モジュールを固定してもよい。
【００５６】
また、架台２０の平板部２２が、平面視において五角形の形状を有する場合について説明したが、架台の平板部は、平面視において五角形以外の如何なる形状を有してもよく、例えば、平面視において矩形や台形等の形状を有してもよい。なお、架台の高さ方向から見たとき、架台は、架台フレーム以外の全ての部分がその架台に固定される太陽電池モジュールに重なると好ましく、この場合、複数の太陽電池モジュールを屋根に効率的に配置できる。
【００５７】
なお、本開示の架台は、平面視で五角形以外の形状の太陽電池モジュールの屋根への取り付けに用いられてもよく、例えば、平面視で矩形の太陽電池モジュールの屋根への取り付けに用いられてもよい。また、本開示の架台が、瓦屋根以外の屋根への太陽電池モジュールの取り付けに用いられてもよいことは言うまでもない。
【符号の説明】
【００５８】
５  屋根、１０  太陽電池モジュール、１０ａ  第１太陽電池モジュール、１０ｂ  第２太陽電池モジュール、１４  パネル、１５  モジュールフレーム、２０，１２０，２２０，３２０  架台、２２,１２２  平板部、２３  側壁部、２４  フレーム取付部、２５  円筒孔、２６  架台フレーム、２７  Ｌ字アングル、３０  アンカー、３１  台座部、３２  軸部、８１  第１ナット、８２  第２ナット、８６  第１ワッシャ、８７  第２ワッシャ、９０  野地板、１２５  貫通孔、Ｐ  対称線、Ｘ方向  軒棟方向、Ｙ方向  桟方向、Ｚ方向  太陽電池モジュールの高さ方向。
【図１】
2018162578.tif 000003
【図２】
2018162578.tif 000004
【図３】
2018162578.tif 000005
【図４】
2018162578.tif 000006
【図５】
2018162578.tif 000007
【図６】
2018162578.tif 000008
【図７】
2018162578.tif 000009
【図８】
2018162578.tif 000010
【図９】
2018162578.tif 000011